(57)【要約】【課題】  包装ケースに被覆された包装フィルムを該包装ケースに傷を付けることなく、包装フィルムのみを切断開封できるカッターを提供することである。【解決手段】  ケーシング１の外側面に設けた案内面１７にスリット１８を設け、前記ケーシング１の内部に取付けた切断刃２７を前記スリット１８から外部に露出させ、該ケーシング１の内部において弾性アーム２１を介して取付けたガード片２２を前記切断刃２７に沿ってスリット１８から外部に露出させ、前記切断刃２７を弾性アーム２１を介して前記ケーシング１に取付け、ケーシング１を把持しスリット１８の部分を対象物に当てガード片２２を後退させるとともに切断刃２７を対象物に当てて切断を行うようにした。【選択図】  図２
2005278807.tif 000002
【特許請求の範囲】
【請求項１】
ケーシングの外側面にスリットを設け、前記ケーシングの内部に取付けた切断刃を前記スリットから外部に露出させ、該ケーシングの内部において弾性部材を介して取付けたガード片を前記切断刃に沿って前記スリットから外部に露出させ、前記ケーシングを把持してそのスリットの部分を対象物に当てることにより、前記ガード片を後退させるとともに切断刃を露出させて切断を行うようにした包装フィルム用カッターにおいて、前記切断刃を弾性部材を介して前記ケーシングに取付けたことを特徴とする包装フィルム用カッター。
【請求項２】
前記外側面に設けた平坦な案内面に前記のスリットを設け、該案内面の一側又は両側に該スリットと平行の案内壁を設け、前記弾性部材の弾性力を前記対象物の表面に被覆された包装フィルムのみを実質的に切断するに必要な大きさに設定したことを特徴とする請求項１に記載の包装フィルム用カッター。
【請求項３】
所定の商品を収納した包装ケースに包装フィルムを施してなる包装済み商品と、請求項１又は２に記載の包装フィルム用カッターとの組み合わせから成り、該包装フィルム用カッターと前記包装済み商品とを簡易に包装した包装フィルム用カッター付き商品。
【請求項４】
所定の器具と、請求項１又は２に記載の包装フィルム用カッターとの組み合わせから成り、前記器具の一部に前記包装フィルム用カッターを取付けた包装フィルム用カッター付き器具。
【発明の詳細な説明】
【技術分野】
【０００１】
この発明は、各種商品の包装ケースに被覆された包装フィルムを切断開封するカッター及びそのカッターを備えた商品等に関するものである。
【背景技術】
【０００２】
ＣＤ等の情報記録媒体その他の商品を包装ケースに収納して販売する場合、その包装ケースを保護するために、種々の意匠を施した包装フィルムを被覆することが従来から行われている。この包装フィルムは当該商品を陳列した際、商品保護の観点から容易に開封されることが無いようにするため、手掛かりとなる部分を作らないように包装ケースに密着させて被覆される。このため、商品の購入者が素手で開封しようとしても包装フィルムを破る手掛かりが無いために、容易に剥離することができずその開封に難渋することがある。このような場合、何らかのカッターを使用することで包装フィルムの一部を破ることができれば簡単に開封剥離することができるが、カッターの刃によって包装ケースに傷が付く問題がある。
【０００３】
包装フィルムを開封剥離した後に包装ケースを廃棄する場合は前記の傷は左程問題にならないが、これを廃棄することなく、例えば、ＣＤの包装ケースのように、使用者がＣＤの保管ケースとして引き続き使用する場合は、包装フィルムを開封する際に生じた傷が保管ケースとして使用する際の美感を損なう問題がある。
【０００４】
一方、従来から知られている開封用カッターとして、段ボールの封緘テープや牛乳パック等を切開する場合に便利に使用できるものが知られている（特許文献１）。このカッターは、ケーシングの外側面にスリットを設け、そのケーシングの内部に取付けた切断刃を前記スリットから外部に露出させ、該ケーシングの内部において弾性部材を介して取付けたガード部材を刃部に沿ってスリットから外部に露出させた構造である。
【０００５】
上記のカッターは、そのケーシングを把持し切断刃を対象物に当てるとガード部材が後退すると同時に切断刃が露出し、ケーシングに力を入れて切断刃を対象物に食い込ませながら移動させることにより切断を行うようになっている。
【特許文献１】特許第３４２８９８２号公報
【発明の開示】
【発明が解決しようとする課題】
【０００６】
前記の開封用カッターは、切断刃がケーシングに固定されているため、ケーシングを把持した手の力が強すぎると、切断刃の露出量の大部分が対象物に食い込むため、深く切り込んでしまうことがある。このカッターで包装ケースに被覆された包装フィルムのみを切断しようとしても、ケーシングを把持した手の力をフィルム１枚分の厚さに加減することは非常に困難であるため、結局包装ケースに傷が付いてしまうことになる。
【０００７】
そこで、この発明は使用者が手の力を加減しなくても包装ケースをできるだけ傷付けることなく包装フィルムを切断開封できるようにした包装フィルム用カッターを提供することを課題とする。
【課題を解決するための手段】
【０００８】
前記の課題を解決するために、この発明は、ケーシングの外側面にスリットを設け、前記ケーシングの内部に取付けた切断刃を前記スリットから外部に露出させ、該ケーシングの内部において弾性部材を介して取付けたガード片を前記切断刃に沿って前記スリットから外部に露出させ、前記ケーシングを把持してそのスリットの部分を対象物に当てることにより、前記ガード片を後退させるとともに切断刃を露出させて切断を行うようにした包装フィルム用カッターにおいて、前記切断刃を弾性部材を介して前記ケーシングに取付けた構成を採用した。
【０００９】
上記の構成によると、通常の状態ではガード片が切断刃に沿ってスリットから露出しており、切断刃に人の手指が触れることを防止する。ケーシングを把持してそのスリット部分を対象物に当てると、ガード片と切断刃がそれぞれ弾性部材の弾性力に対抗して後退することにより対象物に一定の弾性力をもって押圧され、切断刃はその弾性力に応じて対象物に切り込む。ケーシングを把持した手の力はスリット部分の周囲が対象物に当ることによりその対象物により支持されるため、手の力が切断刃を押圧する弾性力に影響を与えることがない。即ち、切断刃の切り込み量はこれを支持した弾性部材の弾性力のみに依存することになる。
【００１０】
なお、前記外側面に設けた平坦な案内面に前記のスリットを設け、該案内面の一側又は両側に前記スリットと平行の案内壁を設けることによって、対象物の端部を案内面とその一側又は両側の案内壁の部分に嵌合させて相対的に移動させることにより一定方向に切断することができる。また、前記の切断刃を支持する弾性部材の弾性力を対象物の表面に被覆された包装フィルムのみを実質的に切断するに必要な大きさに設定した構成を採用することにより、包装ケースに傷が付くことを確実に防止することができる。ここに「実質的に切断する」とは、物理的に正確に包装フィルム厚さのみを切断し、包装ケースに切り込むことが全くないことを意味するのではなく、部品のバラツキ等によりやむを得ず包装ケースに僅かの傷が付くことは許容の範囲であることを意味する。
【００１１】
また、前記の包装用カッターと、所定の商品を収納した包装ケースに包装フィルムを施してなる包装済み商品とを組み合わせ、両者を簡易に包装した包装フィルム用カッター付き包装済み商品を構成すること、前記の包装用カッターと所定の器具とを組み合わせ、前記器具の一部に該包装フィルム用カッターを取付けた包装フィルム用カッター付き器具を構成することができる。
【発明の効果】
【００１２】
以上のように、この発明の包装用カッターによると、切断刃を弾性体を介してケーシングに取付けたことにより、切断刃の対象物に対する切り込み量をその弾性力によって定まる一定量に設定することができる。特に、前記弾性部材の弾性力を前記対象物の表面に被覆された包装フィルムのみを実質的に切断するに必要な大きさに設定することにより、対象物の表面に傷を付けることなく包装フィルムのみを切断することができる。
【００１３】
なお、上記の包装用カッターを包装済み商品と共に簡易に包装して販売することにより、購買者は簡易包装を剥離したのち商品に付設された包装用カッターにより該商品の包装フィルムを切断することができ、カッター等を探す手間が省けて便利である。また、パソコン、ＤＶＤ等の電子機器等の各種の器具に前記の包装用カッターを取付けておくことにより、これらの器具を使用中に必要になることが多い商品の包装フィルムの開封に便利である。
【発明を実施するための最良の形態】
【００１４】
以下、添付図面に基づいてこの発明の実施の形態を説明する。
【００１５】
図１から図４に示した第１の実施形態は、ケーシング１と、ガード部材２と切断刃部材３とからなる。
【００１６】
ケーシング１は、相対向した一対のケーシング部材４、５の組み合わせからなる。各ケーシング部材４、５は円板部６と周壁部７を有し、周壁部７の中心対称の２箇所において平行な案内面部８が形成される。各案内面部８は周壁部７の幅より小さい幅に形成され、その内側辺の一端部に片寄って切欠き部９が両方のケーシング部材４，５の対向位置に設けられる。該案内面部８の外側辺に前記円板部６の周辺に沿った円弧辺１１を有する三日月形の案内壁１２が形成される。また、前記円板部６の内面の中央部に角形の支持柱１３が突設され、またその支持柱１３の両側に結合用のダボ１４と中空ダボ１５が設けられる。前記支持柱１３の先端部に角形の小突部１６が設けられる。その小突部１６を含んだ支持柱１３の高さは前記の周壁部７の高さと一致する。中空ダボ１５は周壁部７の２倍の高さに形成され、ダボ１４は周壁部７より低く形成される。ダボ１４と中空ダボ１５の位置は各ケーシング部材４、５の対向位置に設けられる。
【００１７】
前記の二つのケーシング部材４、５を合わせると、一方のダボ１４と他方の中空ダボ１５が相互に強く嵌合一体化し（図２参照）、周壁部７、７相互が突き合うとともに、案内面部８、８相互も突き合う。これにより全体として一定の厚さを有する円板形のケーシング１が形成される。ケーシング１の全体の大きさは人の掌に収まる程度の大きさである。案内面部８、８が突き合うことにより一定幅の案内面１７が形成されるとともに、その中央部の一端寄りに切欠き部９、９の突き合せにより案内面１７の長さ方向の一端部にスリット１８が形成される。
【００１８】
前記の案内面１７は、ケーシング１の中心対称の２箇所において平行に形成され（図３参照）、その左右の案内壁１２、１２間の幅Ｗ１とＷ２（図２参照）は異なる寸法に形成される。
【００１９】
前記のケーシング１の内部に取付けられる前記のガード部材２は、弾性のある合成樹脂又は金属により形成され、図１に示したように、取付け基板１９の両側にそれぞれＬ形にわん曲した２本の弾性アーム２１、２１が設けられ、全体としてコの字形に形成される。各弾性アーム２１の先端にガード片２２が設けられる。前記の取付け基板１９に四角形の取付け穴２３が設けられる。この取付け穴２３は前記支持柱１３の先端に設けた小突部１６に合致する形状と大きさに形成され、またその取付け基板１９の厚さは小突部１６の高さと一致するように設定される。このガード部材２の取付け穴２３をケーシング部材４の小突部１６に嵌合させると、図３（ａ）に示したように、各ガード片２２が各切欠き部９にその内方から案内面部８に傾斜状態で臨み、先端角部２５を含む端辺２４が傾斜状態で案内面部８に突き出す。その突き出した先端角部２５に押し込み方向の荷重が作用すると弾性アーム２１が弾性変形してガード片２２が切欠き部９の内部に没入する。
【００２０】
また、前記の切断刃部材３は、図１に示したように、前記のガード部材２と同様に弾性のある合成樹脂又は金属により形成され、取付け基板１９の両側に弾性アーム２１、２１を設け全体としてコの字形に形成したものであり、各弾性アーム２１の先端部に切断刃保持片２６が設けられる。前記の取付け基板１９に四角形の取付け穴２３が設けられ、その取付け穴２３をケーシング部材５の小突部１６に嵌合すると、前記の各切断刃保持片２６の先端部が前記のガード片２２と同様の傾斜角で切欠き部９に臨む（図３（ｂ）参照）。各切断刃保持片２６の内面、即ち他方のケーシング部材４に対向した面に浅い角形の凹部２８を設け、その凹部２８にダボ３０を設けている。切断刃２７が凹部２８に嵌合されるとともに、その切断刃２７に設けた穴２９にダボ３０を挿入し、そのダボ３０の先端を溶融してかしめることにより、切断刃２７を凹部２８に固着する。切断刃２７も案内面部８に対して傾斜状態に取り付けられ、その先端部３１を含む刃部３２が切欠き部９から案内面部８に露出する。その露出量は図４（ｂ）から明らかなように、前記のガード片２２より少ないが、切断刃保持片２６より多い。
【００２１】
前記切断刃部材３の弾性アーム２１の弾性力は、前記の切断刃２７が切断対象（この場合は、ＣＤ用ケースの包装フィルム）を切断するのに必要な強さで、包装ケースにまで切り込まない強さに設定される。ガード部材２の弾性アーム２１の弾性力は、これと同程度かこれより大きく設定される。
【００２２】
なお、ガード部材２及び切断刃部材３の各取付け基板１９と弾性アーム２１は「特許請求の範囲」において「弾性部材」と称するものに該当する。
【００２３】
前記のように、ガード部材２を取付けたケーシング部材４と、切断刃部材３を取付けたケーシング部材５を相互に突き合わせて一体化させると、両者の支持柱１３の小突部１６相互が突き合い、同時にガード部材２の取付け基板１９と切断刃部材３の取付け基板１９とが密着する。これによりガード部材２と切断刃部材３との外れが防止され、また、これらの部材２、３はいずれも四角形の取付け穴２３を四角形の小突部１６に嵌合させているので、ガタツキなく支持される。また、両方の切欠き部９、９が突き合うことにより形成されたスリット１８には、それぞれガード片２２と切断刃２７及び切断刃保持片２６が臨む。
【００２４】
第１の実施形態の包装フィルム用カッターは以上のように構成され、次にその使用方法について説明する。
【００２５】
いま、切断の対象が厚さＷ２のＣＤ用ケース３３（図５（ａ）参照）の包装フィルム３４（図４参照）であるとすると、図５（ｂ）に示したように、ＣＤ用ケース３３の1つのコーナ部においてその厚さの面にケーシング１の幅Ｗ２の案内面１７を嵌合する。
【００２６】
図４（ａ）（ｂ）は、案内面１７が包装フィルム３４に接触しない状態におけるガード片２２、切断刃２７及び切断刃保持片２６の関係を示す。この状態でガード部材２と切断刃部材３は自然な状態（弾性変形していない状態）にあり、前述のように、ガード片２２、切断刃２７及び切断刃保持片２６の露出量はガード片２２が最も大きく、切断刃２７及び切断刃保持片２６の順になっている。これにより、切断刃２７がガード片２２にカバーされ、手指等を傷付けることがない。
【００２７】
図４（ｃ）（ｄ）は、ガード片２２が包装フィルム３４に接触して弾性的に若干押し戻され、切断刃２７が包装フィルム３４に接触した状態を示す。この状態では案内面１７と包装フィルム３４との間に若干のすき間が存在する。
【００２８】
図４（ｅ）（ｆ）は、さらにケーシング１が押されて案内面１７が包装フィルム３４に接触した状態を示す。ガード片２２は包装フィルム３４に接して一層スリット１８内に弾性的に押し戻される。切断刃２７にも押し戻し方向の力が作用するが、切断刃２７に作用する弾性力により包装フィルム３４に対し切り込みが行われる。切断刃２７に作用する弾性力は包装フィルム３４を超えてＣＤ用ケース３３に達する程の大きさはないので、ＣＤ用ケース３３に切り込まれることはない。このような状態を維持したままでＣＤ用ケース３３の端部まで移動させる（図５（ｂ）の矢印参照）と、前記幅面の全長に渡り包装フィルム３４の切断開封が行われる。ケーシング１を把持した手の力は案内面１７からＣＤ用ケース３３に伝えられるため、切断刃２７が弾性的に包装フィルム３４に押圧される力には影響を及ぼさない。このため、切断刃２７が包装フィルム３４を切断する弾性力は切断刃２７を支持した切断刃部材３の弾性アーム２１の弾性力にのみ依存する。従って、その弾性力を包装フィルム３４を切り込むのに必要最小限度に設定しておくことにより、包装フィルム３４のみが切断され、ＣＤ用ケース３３の面に傷がつくことが防止される。
【００２９】
次に、図６、図７及び図８に示した第２の実施形態は、前記第１の実施形態の場合の二分の一の形状をなしたものであり、ケーシング部材４、５も半円形をなしている。即ち、図６に示したように、各ケーシング部材４、５は半円板部６’の円弧辺に沿って周壁部７を形成するとともに、直径辺に沿って案内面部８を形成し、その案内面部８の外側辺に沿って長方形の案内壁１２を下向きに形成している。前記案内面部８の内側辺の一端部に切欠き部９が形成される。また、その切欠き部９の上部において前記半円板部６’の内面に前記と同様の支持柱１３が設けられ、その支持柱１３の先端に角形の小突部１６が設けられる。また、半円板部６’に前記と同様のダボ１４及び中空ダボ１５がケーシング部材４、５において対向状に設けられる。周壁部７の外周面に滑り止め用の突部２０が多数設けられる。
【００３０】
ガード部材２は、前記と同様に弾性ある合成樹脂又は金属により形成されたものであり、取付け基板１９の一端部にＬ形にわん曲した弾性アーム２１の先端部にガード片２２を設けられ、その取付け基板１９に設けた四角形の取付け穴２３を前記の小突部１６に嵌合させる。これにより、ガード片２２が切欠き部９に臨み、その先端角部２５が案内面部８に露出する（図７（ａ）参照）。
【００３１】
また、切断刃部材３も前記と同様に取付け基板１９の一端部にＬ形にわん曲した弾性アーム２１の先端部に切断刃保持片２６を設け、切断刃２７を固着したものであり、その取付け基板１９に設けた四角形の取付け穴２３を前記の小突部１６に嵌合させる。その切断刃保持片２６と切断刃２７は切欠き部９に臨み、切断刃２７の刃部３２と先端部３１が案内面部８に傾斜状態に露出する。切断刃２７の露出量は前記ガード片２２の先端角部２５の露出量より少ない（図８参照）。
【００３２】
各ケーシング部材４、５にそれぞれガード部材２と切断刃部材３を取付けた状態で相互に突き合わせて一体化させると、図８に示したように、両者の支持柱１３の小突部１６相互が突き合い、同時にガード部材２の取付け基板１９と切断刃部材３の取付け基板１９とが密着する。これによりガード部材２と切断刃部材３との外れが防止され、また、これらの部材２、３はいずれも四角形の取付け穴２３を四角形の小突部１６に嵌合させているので、ガタツキなく支持される。また、両方の切欠き部９、９が突き合うことにより形成されたスリット１８には、ガード片２２と切断刃２７及び切断刃保持片２６が臨む。図８に示したように、スリット１８からの突出量は、切断刃２７に比べガード片２２の方が多いので、切断刃２７がカバーされる。
【００３３】
以上のように第２の実施形態は切断部が1個所である点で前記の第１の実施形態の場合に比べ小型化されるメリットはあるが、その使用方法は同様であるので、説明を省略する。この場合の案内面１７の幅Ｗは一定であるので、これより幅の広いものに適用することはできないが、その必要がある場合は、ケーシング部材４の案内壁１２を図８の鎖線Ａの位置で削除した構造とし、ケーシング部材５側の案内壁１２のみによって案内するようにすれば、対象物の幅に制限されることがない。
【００３４】
次に、図９から図１１に示した第３の実施形態は、前記第２の実施形態の場合と同様の半円形のケーシング部材４、５を用いたものであるが、ガード部材２及び切断刃部材３及びこれらの取付け構造において相違する。即ち、図９に示したように、各ケーシング部材４、５は半円板部６’の円弧辺に沿って周壁部７を形成するとともに、直径辺に沿って案内面部８を形成し、その案内面部８の外側辺に沿って長方形の案内壁１２を形成している。前記案内面部８の内側辺の一端部に切欠き部９が形成される。また、前記半円板部６’の内面に前記と同様のダボ１４及び中空ダボ１５が設けられる。
【００３５】
前記のケーシング部材４の内部に取付けられるガード部材２は、前記切欠き部９に合致する大きさのゴム、スポンジ等でなる弾性片３５を取付け板３６の一端部に接合一体化したものであり、取付け板３６の背面に設けたダボ３７を半円板部６’に設けた嵌合穴３８に強制嵌合により固定される。弾性片３５の下端部は切欠き部９から案内面部８の表面に若干露出する（図１０（ａ）参照）。弾性片３５は切断時に対象物に押し当てられた際、容易に後退する程度の柔軟性を有する。
【００３６】
また、前記の切断刃部材３は基本的には前記第２の実施形態の場合と同様の形状であり、図９に示したように、取付け基部３９に弾性アーム４０を一体に設け、該弾性アーム４０の先端部に設けた切断刃保持片２６に切断刃２７を固着している。取付け基部３９の背面に設けたダボ４１を半円板部６’に設けた嵌合穴４２に強制嵌合することにより、該切断刃部材３をケーシング部材５に固定する。その状態で切断刃２７の先端部３１が切欠き部９から案内面部８の表面に露出する（図１０（ｂ）参照）。
【００３７】
各ケーシング部材４、５にそれぞれ前記のガード部材２と切断刃部材３を取付けた状態で相互に突き合わせて一体化させると、図１１に示したように、両方の切欠き部９、９が突き合うことにより形成されたスリット１８に、それぞれガード片２２と切断刃２７及び切断刃保持片２６が臨み、切断刃２７は弾性片３５によりカバーされる。この場合、ＣＤ用ケース３３の包装フィルム３４を切断する際、図１１（ｂ）に示したように、弾性片３５がスリット１８内に後退し、弾性アーム４０に支持された切断刃２７が包装フィルム３４のみを切断する。
【００３８】
図１２（ａ）（ｂ）は、前記の第２又は第３の実施形態として示した包装フィルム用カッター４３の使用例を示す。図１２（ａ）の場合は、ＣＤを収納したＣＤ用ケース３３に包装フィルムを被覆した商品の一端部に前記カッター４３の案内面１７を嵌合し、そのカッター４３の片側にスペーサ４４を載せて高さを揃え、簡易包装４５を施したものである。簡易包装４５を剥離除去すると、直ちにそのカッター４３を操作することにより前記の要領で包装フィルムを開封剥離することができる。
【００３９】
図１２（ｂ）の場合はパソコン、ＤＶＤ等の器具４６のコーナ部に水平方向のガイド溝４７を設け、その器具４６内に前記カッター４３を埋め込み、その切断刃２７をガイド溝４７の内部に露出させたものである。包装フィルムが被覆されたＣＤ用ケース３３をガイド溝４７に通過させることにより、その包装フィルムを開封剥離することができる。
【図面の簡単な説明】
【００４０】
【図１】第１実施形態の分解斜視図
【図２】同上の断面図
【図３】（ａ）同上の分解状態のケーシング部材の正面図、（ｂ）同上の分解状態の他のケーシング部材の正面図、（ｃ）（ｂ）図の一部拡大分解斜視図
【図４】（ａ）同上の作用を説明する一部断面図、（ｂ）（ａ）図のｂ−ｂ線の断面図、（ｃ）同上の作用を説明する一部断面図、（ｄ）（ｃ）図のｄ−ｄ線の断面図、（ｅ）同上の作用を説明する一部断面図、（ｆ）（ｅ）図のｆ−ｆ線の断面図
【図５】（ａ）同上の使用状態の正面概略図、（ｂ）同上の使用状態の側面概略図
【図６】第２実施形態の分解斜視図
【図７】（ａ）同上の分解状態のケーシング部材の正面図、（ｂ）同上の分解状態の他のケーシング部材の正面図
【図８】同上の断面図
【図９】第３実施形態の分解斜視図
【図１０】（ａ）同上の分解状態のケーシング部材の正面図、（ｂ）同上の分解状態の他のケーシング部材の正面図
【図１１】同上の断面図
【図１２】（ａ）使用状態の正面図、（ｂ）他の使用状態の分解斜視図
【符号の説明】
【００４１】
１  ケーシング
２  ガード部材
３  切断刃部材
４  ケーシング部材
５  ケーシング部材
６  円板部
６’  半円板部
７  周壁部
８  案内面部
９  切欠き部
１１  円弧部
１２  案内壁
１３  支持柱
１４  ダボ
１５  中空ダボ
１６  小突部
１７  案内面
１８  スリット
１９  取付け基板
２０  突部
２１  弾性アーム
２２  ガード片
２３  取付け穴
２４  端辺
２５  先端角部
２６  切断刃保持片
２７  切断刃
２８  凹部
２９  穴
３０  ダボ
３１  先端部
３２  刃部
３３  ＣＤ用ケース
３４  包装フィルム
３５  弾性片
３６  取付け板
３７  ダボ
３８  嵌合穴
３９  取付け基部
４０  弾性アーム
４１  ダボ
４２  嵌合穴
４３  包装フィルム用カッター
４４  スペーサ
４５  簡易包装
４６  器具
【図１】
2005278807.tif 000003
【図２】
2005278807.tif 000004
【図３】
2005278807.tif 000005
【図４】
2005278807.tif 000006
【図５】
2005278807.tif 000007
【図６】
2005278807.tif 000008
【図７】
2005278807.tif 000009
【図８】
2005278807.tif 000010
【図９】
2005278807.tif 000011
【図１０】
2005278807.tif 000012
【図１１】
2005278807.tif 000013
【図１２】
2005278807.tif 000014